(57)【要約】【課題】施工性及び変形に強く信頼性を著しく高めた太陽電池モジュールの固定金具を提供する。【解決手段】架台ａの上面１にボルト２を立設し、ボルト２を貫通する貫通孔６有するベース金具ｂと、太陽電池モジュールｅの枠体２０の裏面部２０ａにボルト２１で固定する貫通孔１３を有し、周縁部１２ａに上向き係止部１４を有するブラケットｃと、ブラケットｃの上向き係止部１４の内側方に嵌挿する係止壁部１８、１８を有する上面部１６に貫通孔１７を有する押さえ金具ｄとを設け、架台ａの上面１に架台ａに対しベース金具ｂを直角状にボルト２を貫通して載置し固定し、押さえ金具ｄの貫通孔１７にボルト２を貫通し、ブラケットｃの上向き係止部１４に押さえ金具ｄの係止壁部１８、１８を嵌挿し、ボルト２にナット３ａを締め付け組立てる。【選択図】       図１
2010248763.tif 000002
【特許請求の範囲】
【請求項１】
架台の上面にボルトを立設し、前記ボルトを貫通する貫通孔有するベース金具と、太陽電池モジュールの枠体の裏面部にボルトで固定する貫通孔を有し、且周縁部に上向き係止部を有するブラケットと、前記ブラケットの上向き係止部の内側方に嵌挿する係止壁部を有する上面部に貫通孔を有する押さえ金具とを設け、前記架台の上面に架台に対し前記ベース金具を直角状に前記ボルトを貫通して載置し固定すると共に、前記押さえ金具の貫通孔に前記ボルトを貫通すると共に、前記ブラケットの上向き係止部に前記押さえ金具の係止壁部を嵌挿し、前記ボルトにナットを締め付け組立てることを特徴とする太陽電池モジュールの固定金具。
【請求項２】
前記ベース金具は、中央平面部の内側部に前記ボルトが貫通する貫通孔を形成し、前記貫通孔の左右両サイドに長孔を形成し、且前記中央平面部の左右両端部を上方向に直角状に折曲する内側補強部を形成し、前記内側補強部の両上端部を外側方に折曲してブラケットの設置部を形成し、前記設置部の左右両端部を下方に直角状に折曲する左右両側壁部を形成し、前記左右両側壁部に前記架台の上面が嵌挿可能な切欠部を形成することを特徴とする請求項１に記載の太陽電池モジュールの固定金具。
【請求項３】
前記ベース金具の左右両側壁部の高さは、前記中央平面部よりも高く形成することを特徴とする請求項１又は同２に記載の太陽電池モジュールの固定金具。
【請求項４】
前記ベース金具の長孔は、前記ボルトの径より大きく形成することを特徴とする請求項１又は同２又は同３に記載の太陽電池モジュールの固定金具。
【請求項５】
前記ブラケットは、４辺形状の平面部の中央に前記ボルトを貫通する貫通孔を有し、且前記平面部の周縁部の中、左右両サイドの周縁部に前記ベース金具の左右両側壁部に嵌め込み可能な幅員を有する下向き係止部を周縁部の前後両サイドの周縁部に上向き係止部を形成することを特徴とする請求項１又は同２又は同３又は同４に記載の太陽電池モジュールの固定金具。
【請求項６】
前記押さえ金具の上面部は、フラット状にして、セットされた対向状のブラケットの対向状の上向き係止部を跨ぐことが可能な幅員を有し、且前記係止壁部に形成の切欠部は下面より前記上面部の方向に対称的に同一形状をもって切欠することを特徴とする請求項１又は同２又は同３又は同４又は同５に記載の太陽電池モジュールの固定金具。
【請求項７】
前記ボルトを立設する架台の上面に、前記架台に対しベース金具を直角状に前記ベース金具の平面部に穿設する貫通孔に前記ボルトを貫通せしめ、太陽電池モジュールを反転して枠体の裏面部の貫通孔とブラケットの貫通孔にボルトとナットを介して前記ブラケットを複数固着した後、前記太陽電池モジュールを再度反転せしめ、前記ブラケットの周縁部に折曲形成する上向き係止部の内側方に押さえ金具の係止壁部を嵌挿し、前記ボルトを前記押さえ金具の貫通孔に貫通し、前記ボルトにナットを螺着せしめ組立施工することを特徴とする太陽電池モジュールの固定金具の固定方法。
【請求項８】
前記ボルトを立設する架台の上面に、前記架台に対しベース金具を直角状に前記ベース金具の平面部に穿設する貫通孔に前記ボルトを貫通せしめ、太陽電池モジュールを反転して枠体の裏面部の貫通孔とブラケットの貫通孔にボルトとナットを介して前記ブラケットを複数固着した後、前記太陽電池モジュールを再度反転せしめ、前記ブラケットの周縁部に対向状に折曲形成する下向き係止部を前記ベース金具の左右両側壁部の外側方に跨ぐように嵌挿せしめ、前記ブラケットの周縁部に対向状に折曲形成する上向き係止部の内側方に押さえ金具の係止壁部を嵌挿し、前記ボルトを前記押さえ金具の貫通孔に貫通し、前記押さえ金具の係止壁部の切欠部を前記ブラケットの下向き係止部に跨がせ前記ボルトにナットを螺着せしめ組立施工することを特徴とする請求項７に記載の太陽電池モジュールの固定金具の固定方法。
【発明の詳細な説明】
【技術分野】
【０００１】
本発明は、施工性及び信頼性の著しく高い太陽電池モジュールの固定金具及び固定方法の分野に関するものである。
【背景技術】
【０００２】
従来開示の太陽電池パネルの屋根上一体設置具及びこの設置を用いた屋根上一体設置方法の特開平１１−２４７３８７号公開特許公報がある。
【０００３】
前記開示の発明は、アルミ製押出成形品からなる設置具１のスライド溝のＴ型溝１ａに角頭ボルト７を挿入し、このボルト７のねじ部にナット９を介して押さえ金具８を下方に押さえて太陽電池パネル１０の枠体を固定する太陽電池パネルの屋根上一体設置具である。そのため前記アルミ製押出成形品の設置具１は、図面上からみて複雑な形態をなし且長尺物を使用するので、製品価格もアップし、さらに前記太陽電池パネル１０を設置するのに、前記ボルト７の頭部をＴ型溝１ａに挿入し、押さえ金具８と角頭ボルト７とをもって前記太陽電池パネル１０の底部外側面より突設するアルミ製Ｌ型縁部を係止しているが、前記Ｌ型縁部が薄肉のため強度的に十分でない（図１（ｂ）、図５）。
【０００４】
さらに前記開示の発明の設置具は、金属板の３の専用部品であり、汎用性がない。
【０００５】
また従来開示の太陽電池モジュールの取付構造の特開平１１−３２４２５９号公開特許公報によれば、太陽電池モジュール１０を取付けるための架台と称される横桟４０と縦桟３１を必要とし、前記横桟は両側面に長手方向に沿って一直線状になった溝を設け、他方縦桟は両側面に上部およびまたは下部に、長手方向に沿って一直線状になった溝を設ける等複雑な形態をしている。そのため製造費の昂騰を招来している。
【０００６】
さらに前記開示の公開特許公報の太陽電池モジュール１０の外側縁部を係止する長片側枠体２１の上方部のリップが薄肉のため強度的に十分でない（図４）。
【０００７】
またこの発明は、前記横桟４０と縦桟３１とを固定する上固定金具と、上記縦桟を屋根に固定する下固定金具と、前記上固定金具または下固定金具を係止する固定金具係止部材とを構成部材とする等、複雑な機構であって施工も煩雑である。
【０００８】
さらに屋根用固定装置及びそれを用いた太陽エネルギー利用装置として特開２００４−６０３５８公開特許公報の発明によれば、屋根設置体１０及び太陽電池モジュール２２を固定させるために、前記屋根設置体１０及び太陽電池モジュール２２には、接続部材を取付けることなく、下部固定部材４と中間固定部材３と上部固定部材２と締結部材１とをもって、前記屋根設置体１０と太陽電池モジュール２２を固定するが、殊に前記上部固定部材２が前記屋根設置体１０及び太陽電池モジュール２２の上方縁部を押さえるだけで係止していないので、風圧等の影響で離脱のおそれがある。
【先行技術文献】
【特許文献】
【０００９】
【特許文献１】特開平１１−２４７３８７号公開特許公報
【特許文献２】特開平１１−３２４２５９号公開特許公報
【特許文献３】特開２００４−６０３５８公開特許公報
【発明の概要】
【発明が解決しようとする課題】
【００１０】
本発明は、太陽電池モジュールの設置に関し、信頼性、施工性、汎用性、低価格を備えた固定方法が望まれているとして創作したものである。
【００１１】
すなわち、第１にブラケットがモジュールの固定方法を従来タイプのボルト結合方式から施工性に優れる押さえ込み方式に変換し、且押さえ込み方式でありながら容易に離脱しない構造としたことである。
【００１２】
第２に架台は規格材のものを使用可能とし、またモジュール枠も一般的な構造（裏面にボルト穴）を利用すること、さらにモジュール固定金具（ベース金具）と架台の接続に関しては、架台にボルト穴が開けられていれば良いし、従って架台は、市場一般に流通している規格材（不等辺山形鋼、リップ溝型鋼、溝型鋼など）を使用する。本発明は接続金具の設置面と架台の接続に関しても、同様であり、接続金具に対応した孔を架台に設けておくようにした。
【００１３】
そのため、前記第１のモジュール枠にブラケットを固定し架台に固定のベース金具と架台から立設するボルトと前記ブラケットを押さえる押さえ金具と一体に結合せしめ且前記ベース金具と押さえ金具を鋼製厚板を使用して変形に強く信頼性を著しく高めた。
【００１４】
さらに前記モジュールの枠体に固定するブラケットは、モジュールの梱包開封時に、裏返しで開封すれば上方から取付けることができるので、作業性は極めて良好であり、そのため施工性は著しく高い。
【００１５】
また前記第２に述べたとおりなので、多様の種類のモジュールに対応できる。
【００１６】
さらに前記第２に述べたとおり、架台の仕様（断面形状、板厚、材質、表面処理）が幅広く選択可能であるため、強度性能、耐蝕性能に関する設計の自由度を高めることができる。
【００１７】
また前記２に述べたとおり、規格材の選定によって、多様な設置面（屋根面、地上面）に対応できる。
【００１８】
上記のとおり本発明は、汎用性が著しく良好である。
【００１９】
さらに本発明は、前記第２に述べたとおり、プレス加工で量産可能な「モジュール固定金具」に特徴を持たせた結果、架台（長尺のため高価）に特徴を求めないため低価格を実現できるようにした。
【課題を解決するための手段】
【００２０】
上記課題を解決するための手段として、請求項１記載の発明は、架台ａの上面１にボルト２を立設し、前記ボルト２を貫通する貫通孔６有するベース金具ｂと、太陽電池モジュールｅの枠体２０の裏面部２０ａにボルト２１で固定する貫通孔１３を有し、且周縁部１２ａに上向き係止部１４を有するブラケットｃと、前記ブラケットｃの上向き係止部１４の内側方に嵌挿する係止壁部１８、１８を有する上面部１６に貫通孔１７を有する押さえ金具ｄとを設け、前記架台ａの上面１に架台ａに対し前記ベース金具ｂを直角状に前記ボルト２を貫通して載置し固定すると共に、前記押さえ金具ｄの貫通孔１７に前記ボルト２を貫通すると共に、前記ブラケットｃの上向き係止部１４に前記押さえ金具ｄの係止壁部１８、１８を嵌挿し、前記ボルト２にナット３ａを締め付け組立てる太陽電池モジュールの固定金具である。
【００２１】
上記課題を解決するための手段として、請求項２記載の発明は、前記ベース金具ｂは、中央平面部５の内側部に前記ボルト２が貫通する貫通孔６を形成し、前記貫通孔６の左右両サイドに長孔７、７を形成し、且前記中央平面部５の左右両端部を上方向に直角状に折曲する内側補強部８、８を形成し、前記内側補強部８、８の両上端部を外側方に折曲してブラケットｃの設置部９、９を形成し、前記設置部９、９の左右両端部を下方に直角状に折曲する左右両側壁部１０、１０を形成し、前記左右両側壁部１０、１０に前記架台ａの上面１が嵌挿可能な切欠部１１、１１を形成する太陽電池モジュールの固定金具である。
【００２２】
上記課題を解決するための手段として、請求項３記載の発明は、前記ベース金具ｂの左右両側壁部１０、１０の高さは、前記中央平面部５よりも高く形成する太陽電池モジュールの固定金具である。
【００２３】
上記課題を解決するための手段として、請求項４記載の発明は、前記ベース金具ｂの長孔７は、前記ボルト２１の径より大きく形成する太陽電池モジュールの固定金具である。
【００２４】
上記課題を解決するための手段として、請求項５記載の発明は、前記ブラケットｃは、４辺形状の平面部１２の中央に前記ボルト２を貫通する貫通孔１３を有し、且前記平面部１２の周縁部１２ａの中、左右両サイドの周縁部１２ａに前記ベース金具ｂの左右両側壁部１０、１０に嵌め込み可能な幅員を有する下向き係止部１５を周縁部１２ａの前後両サイドの周縁部１２ａに上向き係止部１４を形成する太陽電池モジュールの固定金具である。
【００２５】
上記課題を解決するための手段として、請求項６記載の発明は、前記押さえ金具ｄの上面部１６は、フラット状にして、セットされた対向状のブラケットｃの対向状の上向き係止部１４を跨ぐことが可能な幅員を有し、且前記係止壁部１８、１８に形成の切欠部１９、１９は下面より前記上面部１６の方向に対称的に同一形状をもって切欠する太陽電池モジュールの固定金具である。
【００２６】
上記課題を解決するための手段として、請求項７記載の発明は、前記ボルト２を立設する架台ａの上面１に、前記架台ａに対しベース金具ｂを直角状に前記ベース金具ｂの平面部５に穿設する貫通孔６に前記ボルト２を貫通せしめ、太陽電池モジュールｅを反転して枠体２０の裏面部２０ａの貫通孔２０ｂとブラケットｃの貫通孔１３にボルト２１とナット２２を介して前記ブラケットｃを複数固着した後、前記太陽電池モジュールｅを再度反転せしめ、前記ブラケットｃの周縁部１２ａに折曲形成する上向き係止部１４の内側方に押さえ金具ｄの係止壁部１８、１８を嵌挿し、前記ボルト２を前記押さえ金具ｄの貫通孔１７に貫通し、前記ボルト２にナット３ａを螺着せしめ組立施工する太陽電池モジュールの固定金具の固定方法である。
【００２７】
上記課題を解決するための手段として、請求項８記載の発明は、前記ボルト２を立設する架台ａの上面１に、前記架台ａに対しベース金具ｂを直角状に前記ベース金具ｂの平面部５に穿設する貫通孔６に前記ボルト２を貫通せしめ、太陽電池モジュールｅを反転して枠体２０の裏面部２０ａの貫通孔２０ｂとブラケットｃの貫通孔１３にボルト２１とナット２２を介して前記ブラケットｃを複数固着した後、前記太陽電池モジュールｅを再度反転せしめ、前記ブラケットｃの周縁部１２ａに対向状に折曲形成する下向き係止部１５を前記ベース金具ａの左右両側壁部１０、１０の外側方に跨ぐように嵌挿せしめ、前記ブラケットｃの周縁部１２ａに対向状に折曲形成する上向き係止部１４の内側方に押さえ金具ｄの係止壁部１８、１８を嵌挿し、前記ボルト２を前記押さえ金具ｄの貫通孔１７に貫通し、前記押さえ金具ｄの係止壁部１８、１８の切欠部１９、１９を前記ブラケットｃの下向き係止部１５に跨がせ前記ボルト２にナット３ａを螺着せしめ組立施工する太陽電池モジュールの固定金具の固定方法である。
【発明の効果】
【００２８】
請求項１に記載の発明は、架台の上面にボルトを立設し、前記ボルトを貫通する貫通孔有するベース金具と、太陽電池モジュールの枠体の裏面部にボルトで固定する貫通孔を有し、且周縁部に上向き係止部を有するブラケットと、前記ブラケットの上向き係止部の内側方に嵌挿する係止壁部を有する上面部に貫通孔を有する押さえ金具とを設け、前記架台の上面に架台に対し前記ベース金具を直角状に前記ボルトを貫通して載置し固定すると共に、前記押さえ金具の貫通孔に前記ボルトを貫通すると共に、前記ブラケットの上向き係止部に前記押さえ金具の係止壁部を嵌挿し、前記ボルトにナットを締め付け組立てる太陽電池モジュールの固定金具なので、モジュール枠にブラケットを固定し架台に固定のベース金具と架台から立設するボルトと前記ブラケットを押さえる押さえ金具と一体に結合せしめ且前記固定金具と押さえ金具を鋼製厚板を使用して変形に強く信頼性を著しく高めた。
【００２９】
さらに本発明の前記モジュールの枠体に固定するブラケットは、モジュールの梱包開封時に、裏返しで開封すれば上方から取付けることができるので、作業性は極めて良好であり、そのため施工性は著しく高い。その理由は本発明を用いずに、「太陽電池モジュールの枠体の裏面部のボルト穴」と「架台の上面のボルト穴」を介して、太陽電池モジュールと架台を接続しようとした場合、そのボルト、ナットの締結作業は太陽電池モジュールの裏面になるため、作業者は、太陽電池モジュールの裏面に入り込む必要があり施工性に劣る。さらに裏面空間が狭い場合は、入り込む事ができないため、手探りでの締結作業となり極めて施工性に劣るからである。
【００３０】
また本発明は、多様の種類のモジュールに対応できる利点を有している。
【００３１】
さらに本発明は、架台の仕様（断面形状、板厚、材質、表面処理）が幅広く選択可能であるため、強度性能、耐蝕性能に関する設計の自由度を高めることができる。
【００３２】
また本発明は、汎用性が著しく良好である。
【００３３】
さらに本発明は、プレス加工で量産可能な「モジュール固定金具」に特徴を持たせた結果、架台（長尺のため高価）に特徴を求めないため低価格を実現できるようにした。
【００３４】
請求項２の本発明の太陽電池モジュールの固定金具は、前記ベース金具は、中央平面部の内側部に前記ボルトが貫通する貫通孔を形成し、前記貫通孔の左右両サイドに長孔を形成し、且前記中央平面部の左右両端部を上方向に直角状に折曲する内側補強部を形成し、前記内側補強部の両上端部を外側方に折曲してブラケットの設置部を形成し、前記設置部の左右両端部を下方に直角状に折曲する左右両側壁部を形成し、前記左右両側壁部に前記架台の上面が嵌挿可能な切欠部を形成する太陽電池モジュールの固定金具なので、前記請求項１に記載の発明と同じ効果を有している。
【００３５】
請求項３の本発明の太陽電池モジュールの固定金具は、前記ベース金具の左右両側壁部の高さは、前記中央平面部よりも高く形成する太陽電池モジュールの固定金具なので、前記請求項１又は同２に記載の発明と同じ効果を有している。
【００３６】
請求項４の本発明の太陽電池モジュールの固定金具は、前記ベース金具の長孔は、前記ボルトの径より大きく形成する太陽電池モジュールの固定金具なので、前記請求項１又は同２又は同３に記載の発明と同じ効果を有している。
【００３７】
請求項５の本発明の太陽電池モジュールの固定金具は、前記ブラケットは、４辺形状の平面部の中央に前記ボルトを貫通する貫通孔を有し、且前記平面部の周縁部の中、左右両サイドの周縁部に前記ベース金具の左右両側壁部に嵌め込み可能な幅員を有する下向き係止部を周縁部の前後両サイドの周縁部に上向き係止部を形成する太陽電池モジュールの固定金具なので、前記請求項１又は同２又は同３又は同４に記載の発明と同じ効果を有している。
【００３８】
請求項６の本発明の太陽電池モジュールの固定金具は、前記押さえ金具の上面部は、フラット状にして、セットされた対向状のブラケットの対向状の上向き係止部を跨ぐことが可能な幅員を有し、且前記係止壁部に形成の切欠部は下面より前記上面部の方向に対称的に同一形状をもって切欠する太陽電池モジュールの固定金具なので、前記ブラケットの横ズレを防止、即ちモジュールの横方向の位置出しをすると共に、前記請求項１又は同２又は同３又は同４又は同５に記載の発明と同じ効果を有している。
【００３９】
請求項７の本発明の太陽電池モジュールの固定金具の固定方法は、前記ボルトを立設する架台の上面に、前記架台に対しベース金具を直角状に前記ベース金具の平面部に穿設する貫通孔に前記ボルトを貫通せしめ、太陽電池モジュールを反転して枠体の裏面部の貫通孔とブラケットの貫通孔にボルトとナットを介して前記ブラケットを複数固着した後、前記太陽電池モジュールを再度反転せしめ、前記ブラケットの周縁部に折曲形成する上向き係止部の内側方に押さえ金具の係止壁部を嵌挿し、前記ボルトを前記押さえ金具の貫通孔に貫通し、前記ボルトにナットを螺着せしめ組立施工する太陽電池モジュールの固定金具の固定方法なので、モジュールを固定するときの裏側作業が不要となり施工費用を著しく節減できる利点を有している。
【００４０】
請求項８の本発明の太陽電池モジュールの固定金具は、前記ボルトを立設する架台の上面に、前記架台に対しベース金具を直角状に前記ベース金具の平面部に穿設する貫通孔に前記ボルトを貫通せしめ、太陽電池モジュールを反転して枠体の裏面部の貫通孔とブラケットの貫通孔にボルトとナットを介して前記ブラケットを複数固着した後、前記太陽電池モジュールを再度反転せしめ、前記ブラケットの周縁部に対向状に折曲形成する下向き係止部を前記ベース金具の左右両側壁部の外側方に跨ぐように嵌挿せしめ、前記ブラケットの周縁部に対向状に折曲形成する上向き係止部の内側方に押さえ金具の係止壁部を嵌挿し、前記ボルトを前記押さえ金具の貫通孔に貫通し、前記押さえ金具の係止壁部の切欠部を前記ブラケットの下向き係止部に跨がせ前記ボルトにナットを螺着せしめ組立施工する太陽電池モジュールの固定金具の固定方法なので、前記請求項７に記載の発明と同じ効果を有している。
【図面の簡単な説明】
【００４１】
【図１】本発明の太陽電池モジュールの固定金具の第１実施例である固定金具を組立てた状態の一部切欠正面図である。
【００４２】
【図２】図１の固定金具の組立て前の一部切欠正面図である。
【００４３】
【図３】図１の固定金具の組立前の左側面図である。
【００４４】
【図４】図１の固定金具の中、ベース金具の平面図である。
【００４５】
【図５】図４のベース金具の正面部である。
【００４６】
【図６】図４のベース金具の左側面図である。
【００４７】
【図７】図４のベース金具の組立て前の状態を示す正面図である。
【００４８】
【図８】図７のベース金具の組立てた前の左側面図である。
【００４９】
【図９】図７のベース金具を組立てた正面図である。
【００５０】
【図１０】図９の左側面図である。
【００５１】
【図１１】図１の固定金具の中、ブラケットの平面図である。
【００５２】
【図１２】図１１のブラケットの正面図である。
【００５３】
【図１３】図９のブラケットの左側面図である。
【００５４】
【図１４】図１の固定金具の中、押さえ金具の正面図である。
【００５５】
【図１５】図１４の押さえ金具の平面図である。
【００５６】
【図１６】図１４の押さえ金具の左側面図である。
【００５７】
【図１７】本発明の太陽電池モジュールの固定金具の第２実施例の固定金具を折版屋根の上面に取付けた状態の一部切欠正面図である。
【００５８】
【図１８】図１７に示す固定金具の一部切欠拡大正面図である。
【００５９】
【図１９】同第２実施例の固定金具と折板屋根との接続状態を示す一部切欠正面図である。
【００６０】
【図２０】同モジュールを取付けた第２実施例の固定金具の正面図である。
【００６１】
【図２１】同折板屋根に接続具を介して横桟を取付け、且横桟上に架台と固定金具との接続状態を示す正面図である。
【００６２】
【図２２】同架台に直角状に取着の第２実施例のベース金具の斜面図である。
【００６３】
【図２３】同太陽電池モジュールにブラケットを取着した斜視図である。
【００６４】
【図２４】同図２３の一部切欠拡大斜視図である。
【００６５】
【図２５】同図２３の状態から反転せしめた一部切欠の太陽電池モジュールに取着のブラケットを示す正面図である。
【００６６】
【図２６】同ブラケットの底面図である。
【００６７】
【図２７】同太陽電池モジュールに取着の第２実施例のブラケットの拡大正面図である。
【００６８】
【図２８】同第２実施例のブラケットを取着の太陽電池モジュールの平面図である。
【００６９】
【図２９】同架台上に載置したブラケット付き太陽電池モジュールの斜視図である。
【００７０】
【図３０】同架台と第２実施例のベース金具と第２実施例のブラケットと第２実施例の押さえ金具と太陽電池モジュールの組立前の正面図である。
【００７１】
【図３１】同第２実施例のベース金具の正面図である。
【００７２】
【図３２】同第２実施例のベース金具の平面部である。
【００７３】
【図３３】同第２実施例のベース金具の左側面図である。
【００７４】
【図３４】同第２実施例のブラケットの正面図である。
【００７５】
【図３５】同第２実施例のブラケットの底面図である。
【００７６】
【図３６】同第２実施例のブラケットの左側面図である。
【００７７】
【図３７】同第２実施例の押さえ金具の正面図である。
【００７８】
【図３８】同第２実施例の押さえ金具の平面図である。
【００７９】
【図３９】同第２実施例の押さえ金具の左側面図である。
【００８０】
【図４０】同架台上に取着のベース金具に第２実施例のブラケットを取着の太陽電池モジュールを載置した状態の一部切欠拡大斜視図である。
【００８１】
【図４１】同図４０に押さえ金具を載置せしめた一部切欠拡大斜視図である。
【００８２】
【図４２】同ブラケットを取着の太陽電池モジュールを対向状にセットした状態の一部切欠拡大斜視図である。
【００８３】
【図４３】同図４２に押さえ金具をセットした状態の一部切欠拡大斜視図である。
【００８４】
【図４４】同架台に固定金具を組立てた状態の一部切欠拡大斜視図である。
【００８５】
【図４５】同図２１の組立状態の一部切欠拡大左側面図である。
【発明を実施するための形態】
【００８６】
本発明の太陽電池モジュールの固定金具及び固定金具の固定方法の好適な実施形態を、以下図面にしたがって説明する。なお、本請求項１〜８記載の発明に関する実施の形態は共通しているので、以下のとおり一括して説明する。
【００８７】
図において、ａは本発明の固定金具（以下において詳述する。）を接続するための基礎的構成部材をなす架台である。
【００８８】
前記架台ａは、規格材の使用が可能であり、その形状も、不等辺山形鋼、リップ溝型鋼、溝型鋼等多種類に及ぶものである。
【００８９】
そして、前記架台ａは上面１に以下に詳述する固定金具の中、ベース金具ｂに接続対応する貫通孔１ａを設ける。
【００９０】
この架台ａは、地上に設置したり、あるいは折板屋根ｓのはぜ締め部２５に取着の接続具ｆを介してはぜ締め部２５と同方向に取着の縦桟ｇに対し、所定の間隔を置いて直角状に接続する横桟ｈを架台として使用するケースもある。
【００９１】
図においてｂは第１実施例と第２実施例に共通する前記架台ａの軸線方向に対し直角状に立設する前記ボルト２によって取着するベース金具である。
【００９２】
そして前記ベース金具ｂは、鋼板製である。
【００９３】
さらに前記ベース金具ｂの第１実施例の形態は、平面部５の中央部に貫通孔６を形成する。そして前記平面部５の左右端部を上方向に直角状に折曲する内側補強部８、８を同じ高さにして形成する。前記内側補強部８、８の間には間隙部５ｂが形成される。
【００９４】
第２実施例のベース金具は、平面部５の内側部に前記ボルト２が貫通する貫通孔６を形成し、前記貫通孔６の左右両サイドに長孔７、７を形成する。      
【００９５】
そして前記平面部５の左右両端部を上方向に直角状に折曲する内側補強部８、８を形成し、前記内側補強部８、８の両上端部を外側方に折曲してブラケットｃの設置部９、９を形成する。
【００９６】
そして前記設置部９、９の左右両端部を下方に直角状に折曲する左右両側壁部１０、１０を形成する。さらに前記左右両側壁部１０、１０に前記架台ａの上面１が嵌挿可能な切欠部１１、１１を形成する。
【００９７】
第１実施例と第２実施例に共通の前記貫通孔６には、前記頭部付きボルト２を貫通しナット３、ワッシャー４、座金５ａを前記内側補強部８、８との間に形成された間隙部５ｂに挿入し、前記架台ａと前記ベース金具ｂとを固着する。
【００９８】
前記ナット３の上面が、設置部９、９より飛出しない形状となっている。
【００９９】
そして、第２実施例の前記ベース金具ｂの左右両側壁部１０、１０の高さは、前記平面部５よりも下方に延設し低く形成する。
【０１００】
さらに、第２実施例の前記ベース金具ｂの長孔７は、前記長孔７をブラケットｃを固定するボルト２１の径より若干大きく形成する。
【０１０１】
さらに前記第２実施例の長孔７、７は、前記ボルト２１よりも大きく形成することによって、前記ブラケットｃを取着するボルト２１の先端部が組立て嵌挿後において、太陽電池モジュールｅが取着後の揺動に対して前記ボルト２１と前記ベース金具ｂの長孔７の干渉を回避できる利点がある。
【０１０２】
そして第２実施例の前記ベース金具ｂの切欠部１１、１１は、前記架台ａに対し直角状に組立てられると、前記切欠部１１、１１が架台の上面１の幅員と若干大き目に形成しているので、架台ａとベース金具ｂとが嵌着すると固着強度を著増する利点がある。さらに前記切欠部１１、１１によって、前記ベース金具ｂと第２実施例のブラケットｃの直角が確保される。
【０１０３】
さらに図においてｃは第１実施例と第２実施例に共通する鋼板製のブラケットであり以下の構成からなっている。
【０１０４】
第１実施例の前記ブラケットｃは、前記ベース金具ｂの幅員よりも広い形状にして、且太陽電池モジュールｅの枠体２０の裏面部２０ａにボルト２１が貫通する貫通孔１３を有し、周縁部１２ａの側面に所定の高さの上向き係止部１４を形状する。
【０１０５】
さらに第２実施例のブラケットｃは、前記ベース金具ｂの幅員よりも広い形状にして、且４辺形状の平面部１２の中央に前記ボルト２を貫通する貫通孔１３を有し、そして前記平面部１２の周縁部１２ａの中、左右両サイドの周縁部１２ａに前記ベース金具ｂの左右両側壁部１０、１０に嵌め込み可能な幅員を有する下向き係止部１５を夫々折曲形成する。そして前記周縁部１２ａの前後両サイドの周縁部１２ａに、上向き係止部１４を夫々形成する。
【０１０６】
図においてｄは第１実施例と第２実施例に共通する押さえ金具であり、以下の構成からなる。
【０１０７】
第１実施例の押さえ金具ｄは、フラット状の上面部１６に貫通孔１７を有し、且前記ブラケットｃの上向き係止部１４の内側方に嵌挿する対向状の係止壁部１８、１８を有する形態である。
【０１０８】
さらに、第２実施例の押さえ金具ｄは、フラット状の上面部１６に貫通孔１７を有し、且前記ベース金具ｂを跨ぐ切欠部１９，１９を有し、且前記ブラケットｃの上向き係止部１４の内側方に嵌挿する対向状の係止壁部１８、１８をフラット状の上面部１６の左右両端部を下方に直角状に折曲して形成する。
【０１０９】
また前記形態の押さえ金具ｄの切欠部１９、１９は、下面より前記上面部１６の方向に対称的に同一形状をもって切欠して形成する。
【０１１０】
図において、ｅは太陽電池モジュールであり、このモジュールｅは、外周に枠体２０によって取着されている。
【０１１１】
２０ａは前記枠体２０の裏面部であり、２０ｂは前記枠体２０に開けた貫通孔である。
【０１１２】
２１は前記貫通孔２０ｂに貫通するボルトであり、２２はナット、２３はワッシャーである。
【０１１３】
前記第１実施例ブラケットｃは、上向き係止部１４が前記モジュールｅの枠体２０より外側方に飛出するようにして、ボルト２１を貫通孔１３に貫通し、ナット２２、ワッシャー２３、座金２４を介して取着する。
【０１１４】
第２実施例のブラケットｃも図面図示のとおり一方の上向き係止部１４が前記モジュールｅの枠体２０より外側方に飛出するようにして、前記ボルト２１を貫通孔１３に貫通せしめナット２２、ワッシャー２３、座金２４を介して取着する。
【０１１５】
つぎに前記第１実施例と第２実施例の前記固定金具ｂ、ｃ、ｄを架台ａに取着し前記太陽電池モジュールｅを取着する施工法について説明する。
【０１１６】
前記ボルト２を立設する架台ａの上面１に、前記架台ａに対し第１実施例のベース金具ｂもしくは第２実施例のベース金具ｂを直角状に前記ベース金具ｂの平面部５に穿設する貫通孔６に前記ボルト２を貫通せしめ、ナット３ａ、ワッシャー４ａ、座金５ａを介してベース金具ｂを前記架台ａに固着する。
【０１１７】
つぎに、太陽電池モジュールｅを反転して枠体２０の裏面部２０ａの貫通孔２０ｂと第１実施例のブラケットｃの場合、上向き係止部１４を図面図示のとおり前記枠体２０の外側方に飛出させた状態で貫通孔１３にボルト２１とナット２２、ワッシャー２３、座金２４を介して前記ブラケットｃを前記枠体２０に固着する。
【０１１８】
他方第２実施例の場合、図面図示のとおり上向き係止部１４を枠体２０の外側方に飛出させた状態で固着する。ブラケットｃの貫通孔１３にボルト２１とナット２２、ワッシャー２３、座金２４を介してブラケットｃを枠体２０に固着する。そして前記上向き係止部１４は、前記ブラケットｃと前記モジュールｅの枠体２０の直角を確保する。
【０１１９】
そして、第１実施例と第２実施例の前記太陽電池モジュールｅを再度反転せしめ、前記太陽電池モジュールｅに取着する前記ブラケットｃの周縁部１２ａに対向状に折曲形成する第２実施例の下向き係止部１５を、前記ベース金具ａの左右両側壁部１０、１０を跨ぐように嵌挿せしめ嵌め込み施工する。なお第１実施例の施工時には、下向き係止部１５がないので跨ぐように嵌挿することはない。
【０１２０】
さらに、前記太陽電池モジュールｅに取着の前記ブラケットｃの周縁部１２ａに対向状に折曲形成する上向き係止部１４の夫々の内側方に押さえ金具ｄの係止壁部１８、１８を嵌挿する。前記第２実施例のブラケットｃの施工に関する説明である。
【０１２１】
なお、第１実施例のブラケットｃの施工時には、前記上向き係止部１４は図３１に図示のとおり、一個所であり、従って押さえ金具ｄの係止壁部１８、１８の嵌挿は、前記上向き係止部１４の夫々の内側方に嵌挿する。
【０１２２】
そして、前記ボルト２を前記押さえ金具ｄの貫通孔１７を貫通し、前記押さえ金具ｄの係止壁部１８、１８の切欠部１９、１９を前記ベース金具ｂの左右両側壁部１０、１０に跨がせ前記ナット２にナット３ａ、ワッシャー４ａ、座金５ａをもって螺着せしめ組立施工する。
【０１２３】
前記は第２実施例のの押さえ金具ｄの施工に関する説明である。
【０１２４】
さらに第１実施例の押さえ金具ｄ（図３２）の組立施工は、前記切欠部１９、１９が形成されていないので、前記ベース金具ｂの左右両側壁部１０、１０を跨ぐことができない。その他の施工は第２実施例の施工と同じである。
【０１２５】
以上が太陽電池モジュールを固定するための施工方法である。
【０１２６】
図において、ｓは折板屋根、２５はぜ締め部ｆは前記はぜ締め部２５に沿って取着する縦桟ｇとはぜ締め部２５とを接続する接続具である。
【０１２７】
ｈは前記縦桟ｇに対し、所定間隔おきに直角状に接続せしめる横桟である。
【０１２８】
上記のとおり、第１実施例は、前記ベース金具ａには切欠部がなく、前記ブラケットｃには下向き係止部１５がなく、さらに上向き係止部１４が一方に形成されているだけであり、また前記押さえ金具ｄには切欠部１９がないが、前記架台ａのボルト孔のピッチとモジュールｅの枠体２０の貫通孔２０ｂのピッチが同じなので、モジュールｅを架台ａに整列させることができる。
【０１２９】
他方第２実施例は前記ベース金具ｂに切欠部１１、１１が形成され、前記架台ａと前記ベース金具ｂの直角を確保し、前記ブラケットｃに下向き係止部１５が形成され、前記ベース金具ｂと前記ブラケットｃの平行を確保し、前記ブラケットｃに上向き係止部１４が形成され、前記ブラケットｃと前記モジュールの枠体２０の直角を確保すると共に、前記押さえ金具ｄに前記切欠部１９、１９が形成され、前記ブラケットｃの横ズレを防止できる。
【０１３０】
従って前記第２実施例のモジュール固定金具は、平行確保と横ズレ防止機能により、モジュールｅを架台ａに容易に整列させることができる。
【０１３１】
なお、前記ブラケットｃの一方の上向き係止部１４は、前記押さえ金具ｄに嵌挿するための機能を有し、他方の上向き係止部１４は、前記ブラケットｃと前記モジュールｅの枠体２０の直角を確保するための機能を有している。
【符号の説明】
【０１３２】
ａ        架台
ｂ        ベース金具
ｃ        ブラケット
ｄ        押さえ金具
ｅ        太陽電池モジュール
ｆ        接続具
ｇ        縦桟
ｈ        横桟
ｓ        折板屋根
１        上面
１ａ      貫通孔
２        ボルト
３        ナット
３ａ      ナット
４        ワッシャー
４ａ      ワッシャー
５        平面部
５ａ      座金
５ｂ      間隙部
５ｃ      座金
６        貫通孔
７        長孔
８        内側補強部
９        設置部
１０      側壁部
１１      切欠部
１２      平面部
１２ａ    周縁部
１３      貫通孔
１４      上向き係止部
１５      下向き係止部
１６      上面部
１７      貫通孔
１８      係止壁部
１９      切欠部
２０      枠体
２０ａ    裏面部
２０ｂ    貫通孔
２１      ボルト
２２      ナット
２３      ワッシャー
２４      座金
２５      はぜ締め部
【図１】
2010248763.tif 000003
【図２】
2010248763.tif 000004
【図３】
2010248763.tif 000005
【図４】
2010248763.tif 000006
【図５】
2010248763.tif 000007
【図６】
2010248763.tif 000008
【図７】
2010248763.tif 000009
【図８】
2010248763.tif 000010
【図９】
2010248763.tif 000011
【図１０】
2010248763.tif 000012
【図１１】
2010248763.tif 000013
【図１２】
2010248763.tif 000014
【図１３】
2010248763.tif 000015
【図１４】
2010248763.tif 000016
【図１５】
2010248763.tif 000017
【図１６】
2010248763.tif 000018
【図１７】
2010248763.tif 000019
【図１８】
2010248763.tif 000020
【図１９】
2010248763.tif 000021
【図２０】
2010248763.tif 000022
【図２１】
2010248763.tif 000023
【図２２】
2010248763.tif 000024
【図２３】
2010248763.tif 000025
【図２４】
2010248763.tif 000026
【図２５】
2010248763.tif 000027
【図２６】
2010248763.tif 000028
【図２７】
2010248763.tif 000029
【図２８】
2010248763.tif 000030
【図２９】
2010248763.tif 000031
【図３０】
2010248763.tif 000032
【図３１】
2010248763.tif 000033
【図３２】
2010248763.tif 000034
【図３３】
2010248763.tif 000035
【図３４】
2010248763.tif 000036
【図３５】
2010248763.tif 000037
【図３６】
2010248763.tif 000038
【図３７】
2010248763.tif 000039
【図３８】
2010248763.tif 000040
【図３９】
2010248763.tif 000041
【図４０】
2010248763.tif 000042
【図４１】
2010248763.tif 000043
【図４２】
2010248763.tif 000044
【図４３】
2010248763.tif 000045
【図４４】
2010248763.tif 000046
【図４５】
2010248763.tif 000047
【手続補正書】
【提出日】平成21年4月16日(2009.4.16)
【手続補正１】
【補正対象書類名】図面
【補正対象項目名】図２４
【補正方法】変更
【補正の内容】
【図２４】
2010248763.tif 000048